(57)【要約】【課題】  スポーツの打球動作判定器具であって、特に上体の回転中心である背骨の正しい動きを習得するために、打球動作が正しい回転中心から逸れた時にアラームを発生させ使用者に知らしめるための簡易な器具の提供を課題とする。【解決手段】  器具の回転軸１０を柔軟で弾性のある材料を使い、これに電気的開閉の機能を持たせ、一方の端を上部固定具８、もう一方の端を下部固定具９に固定し、これを上下のベルトで背面に装着し、プレーヤーの背骨の動きに追随して器具の回転軸１０が任意の方向に曲がり、プレーヤーの動作が正しい回転中心から逸れた時に電気的開閉が閉となり、アラーム部品３を駆動してアラームを発生させる。【選択図】図１
2012105930.tif 000002
【特許請求の範囲】
【請求項１】
打球動作が正しいかどうかを判定してプレーヤーに知らせる打球動作判定器具で、
（１）打球の練習の際にプレーヤーの身体または衣服の上から身体装着可能なように胸椎上部に取り付ける上部ベルトと仙骨の位置で腰椎に沿って取り付ける下部ベルトを有し
（２）一方の端を前記上部ベルトの上部固定具に、もう一方の端を前記下部ベルトの下部固定具にそれぞれ取り付けた回転軸を有し
（３）前記回転軸は柔軟かつ弾性のある導電性の棒に非導電性の絶縁材を被せて管に挿入したもので、前記管の上部だけは前記絶縁材が無く前記棒と前記管は隙間があり、プレーヤーが正立したとき及びプレーヤーの打球動作が正しい場合は前記棒と前記管は中心線が同じで上部隙間部分で電気的回路が開いており、プレーヤーの打球動作が正しくない場合は前記棒は前記管の上部の前記絶縁材の無い隙間部分で任意に曲がって前記管に接触し電気的回路の開閉が閉となるような構成を有し、
（４）前記アラーム発生手段はアラーム部品と電源で構成され、前記上部ベルトまたは前記下部ベルトに取り付けられて、電気回路としては前記アラーム部品と前記電源、前記棒、前記管に直列でケーブル接続し、前記回転軸の電気的回路の開閉が閉のときに前記アラーム部品を駆動しアラームを有する
ことを特徴とする打球動作判定器具。
【発明の詳細な説明】
【技術分野】
【０００１】  本発明はスポーツの打球動作に関して背骨の動作が正しい回転中心となっているかどうか判定する器具に関する。【０００２】  打球とはゴルフや野球、テニスなどの用語でボールを打つ意味で、打球動作は素振りを含む。【０００３】  回転中心とは打球動作において、プレーヤーが正立したときの胸椎と仙骨を結ぶ直線のことである。ただし上体の前傾角度は競技種類によって異なる。
【背景技術】
【０００４】  スポーツの中で特にゴルフの打球動作習得のための器具がある。（特許文献１、２、３参照）【０００５】  特許文献１にはゴルフ用の打球動作習得のための器具で、プレーヤーの上半身を正しい回転中心に固定させる矯正器具があるが、固定の仕方が緩い場合はプレーヤーには正しい動作かどうかわからない。また器具に加わる力を判定するためにセンサーや実装基板や電子回路を必要とする。【０００６】  特許文献２には特にゴルフ用の打球動作習得のための器具で、正しい角度に沿ってプレーヤーの身体を固定する姿勢矯正器があるが、固定の仕方が緩い場合はプレーヤーには正しい動作かどうかわからない。【０００７】  特許文献３にはゴルフ用の打球動作習得のための器具で、空気圧などにより柔軟かつ弾性を持たせている養成具があるが構造が複雑で、プレーヤーに正しい動作を知らしめるには振動発生装置や音波発生装置などの組み合わせを必要とするため実装基板や電子回路を必要とする。
【先行技術文献】
【特許文献１】特開２００４−２２９７５４号公報
【特許文献２】特開２００６−０６８０８８号公報
【特許文献３】特開平７−２８４５４８号公報
【発明の概要】
【発明が解決しようとする課題】
【０００８】  特許文献１、３では、各種のセンサーや装置の組み合わせを必要とし実装基板や電子回路が必要になるという問題点があり、特許文献２では実装基板を必要としないが、器具に身体を固定する構造のため装着の仕方が緩い場合は身体が正しい回転軸から離れてしまいプレーヤーは自分の打球動作が正しいかどうかわからないという問題点がある。【０００９】  本発明は上記の問題を鑑みて、器具の回転軸に柔軟かつ弾性を持たせてプレーヤーの背骨に追随するように動くことができて、センサーとセンサーに必須な実装基板や電子回路を省き、且つ、プレーヤーの背骨の動きが正しい回転中心から逸れたときにアラームを発生してプレーヤーに知らしめる器具の提供を目的とする。
【課題を解決するための手段】
【００１０】  打球動作が正しいかどうかを判定してプレーヤーに知らせる打球動作判定器具で、
（１）打球の練習の際にプレーヤーの身体または衣服の上から身体装着可能なように胸椎上部に取り付ける上部ベルトと仙骨の位置で腰椎に沿って取り付ける下部ベルトを有し
（２）一方の端を前記上部ベルトの上部固定具に、もう一方の端を前記下部ベルトの下部固定具にそれぞれ取り付けた回転軸を有し
（３）前記回転軸は柔軟かつ弾性のある導電性の棒に非導電性の絶縁材を被せて管に挿入したもので、前記管の上部だけは前記絶縁材が無く前記棒と前記管は隙間があり、プレーヤーが正立したとき及びプレーヤーの打球動作が正しい場合は前記棒と前記管は中心線が同じで上部隙間部分で電気的回路が開いており、プレーヤーの打球動作が正しくない場合は、前記棒は前記管の上部の前記絶縁材の無い隙間部分で任意に曲がって前記管に接触し電気的回路の開閉が閉となるような構成を有し、
（４）前記アラーム発生手段はアラーム部品と電源で構成され、前記上部ベルトまたは前記下部ベルトに取り付けられて、電気回路としては前記アラーム部品と前記電源、前記棒、前記管に直列でケーブル接続し、前記回転軸の電気的回路の開閉が閉のときに前記アラーム部品を駆動しアラームを有する
ことを特徴とする。
【発明の効果】
【００１１】  本発明によればアラームによって打球動作中の背骨が正しい回転中心から逸れたことを知らしめるのでプレーヤーは自分の背骨の動きが正しいかどうか判定できて、打球動作の矯正に効果がある。【００１２】  本発明によれば器具の回転軸が電気的開閉の役割をしているので電子部品の実装基板を省くことができて、部品を配線するだけでアラームの音または振動、光を発生することができる。
【図面の簡単な説明】
【００１３】
【図１】発明の実施形態を示す判定器具の概略図
【図２】発明の実施形態を示す判定器具の人体背面装着図
【図３】発明の実施形態を示す判定器具の回転軸と背骨の関係を示す断面図
【図４】発明の実施形態を示す判定器具の回転軸の変位計算例を示す図
【図５】発明の実施形態を示す判定器具のアラーム発生手段図
【発明を実施するための形態】
【００１４】  図１は発明の実施形態を示す判定器具の概略図であり、構成としては上部ベルト１と下部ベルト７と棒４、管５、絶縁材６からなる回転軸１０と電源２及びアラーム部品３から成るアラーム発生手段、及び図示されてない配線接続のためのケーブルから成る。
【００１５】  回転軸１０は、棒４に絶縁材６を被せて管５に挿入することによって構成され、棒４は管５より長く、管５は絶縁材６より長い。棒４は管５より上方に突き出ており、管５の上部は絶縁材６がなく棒４と管５には隙間があり、管５の上部以外は絶縁材６によって棒４が保持されている。棒４の上部先端は上部固定具８により固定され、棒４の下部端は管５の内部で絶縁材６により保持される。管５の一方は棒４と絶縁材６で保持され、もう一方は下部固定具９にて固定される。
【００１６】  上部固定具８と棒４を下部ベルトに固定し、下部固定具９と管５を上部ベルトに固定することもできる。
【００１７】  上部ベルト１の形状は帯のようなもので脇の下の位置で締めるかマジックテープにて胸の位置で固定しても良い。あるいは両端に輪を作りショルダー式に両肩を通して胸の位置で止めても良い。マジックテープのほかに金具やプラスティックの止め具で止めても良い。
【００１８】  アラーム発生手段はアラーム部品３とアラーム部品３を駆動する電源２、それらを棒４と管５に電気的に接続するケーブルから構成される。
【００１９】  電源２とアラーム部品３の取り付け位置は、配線ケーブルの長さを調整することにより前記上部ベルト１でも前記下部ベルト７でも、どちらでも可能である。
【００２０】  各部品の材料については、棒４は柔軟かつ弾性のある導電性のものでステンレス、アルミ、鉄、導電性プラスティックなどで良い。他に竹などの柔軟かつ弾性のある木材に導電性の被膜や被覆を施しても良い。管５の素材は棒４と同じでも異なっても良い。絶縁材６は木材やプラスティック、ゴム、圧縮チューブのような非導電性素材とし、筒状のものでも輪状でも良いし、テープで棒４を巻いても良い。もしくは導電性材料の表面に非導電性の被膜を施しても良い。
【００２１】  電源２は乾電池またはボタン電池である。
【００２２】  アラーム部品３は電源２に接続して音を発生する部品の他に、振動部品や発光部品でも良い。発光部品の場合の取り付け位置はスポーツの種類により異なるがケーブルを延長してプレーヤーの見える位置に設置することができる。
【００２３】  上部ベルト１は伸縮性のある合成繊維またはゴムなどである。
【００２４】  下部ベルト７は伸縮性のある合成繊維またはゴムなどである。
【００２５】  図２では下部ベルト７の位置を管５の上下に変更することによりプレーヤーの身長に合わせて長さ調節ができることを示す。図の左側は身長の高い人が使用する場合、図の右側は身長の低い人が使用する場合を示す。左右の図は同一寸法の本発明の器具であるが、下部固定ベルト７及び下部固定具９の位置が異なる。下部固定具９の内面と管５の外面は面、線、点など摩擦によって固定することもできるし、摩擦利用の他に下部固定具９に螺子穴を開け、管５を螺子で押さえつけても良い。そのようにして下部固定具９は管５の上下に任意に固定できる。
【００２６】  また管５を骨盤に直角になるように下部固定具９に取り付ける方法は、下部固定具９に溝をつけ、面または点で押さえるなど加工を施す。さらに下部固定具９を下部ベルト７に取り付ける際に、下部固定具９と下部ベルト７の両者を螺子固定して角度が調整可能なようにしても良い。
【００２７】  図３のように回転軸１０はプレーヤーが装着して正立したときに胸椎と仙骨を結ぶ直線に沿っており、回転軸１０の一方の先端である棒４の先端は上部固定具８で固定され、もう一方の先端である前記管５の後部端は骨盤に直角になるよう下部固定具９で固定される。
【００２８】  上部固定具８と棒４の固定の方法は上部固定具８の内面と棒４の外面を面、線、点などの摩擦で押さえても良いし、また上部固定具８に螺子穴を開けて螺子で棒４を押さえても良い。あるいは棒４の先端を輪状にして上部固定具８に引っ掛けて固定するような方法でも良い。
【００２９】  打球動作中にプレーヤーの背骨の動きが正しい回転中心から逸れると、前記棒４の先端は前記上部固定具８にて固定されているのでプレーヤーの胸椎上部と共に動き、前記管５は骨盤に直角に固定されているので、前記棒４は曲がって、前記棒４のうち前記絶縁材６の被せてない部分が前記管５の端面と接触し、電気的回路の開閉が閉の状態になり前記アラーム部品３を駆動し音または振動もしくは光を発生させる。
【００３０】  図４にて棒４と管５が電気的回路を開閉させる機能を有する事と、その時の棒４の上部の先端が背骨の動きと共に変位した幅の一例を示す。図４では棒４が直線で曲がると仮定して計算例を示してあるが実際には材質によって異なり、実際は棒４の上部の先端がプレーヤーの背骨の胸椎と同時に動くときは円弧を描き、計算結果は図４の値より大きな値を示す。
【００３１】  図４では、棒４の先端を上部ベルト１に固定した場合、棒４と管５が接触するまでの変位幅について、棒４を５５センチ、管５を３５センチ、絶縁材６は４０センチとして計算する。棒４に絶縁材６を被せて管５の上端から４５センチだけ管５に挿入すると、棒４のうち前記絶縁材６の被せてない部分が管５の上端より１０センチ突き出た状態になる。このとき管５の内部では棒４のうち前記絶縁材６の被せてない部分５センチと前記絶縁材付部分３０センチとなり、管５の下端に棒４のうち前記絶縁材６を被せた部分が１０センチ突き出ていることになる。管５の上部５センチは前記絶縁材６がないため管５と棒４は隙間があり、管５の内径を１８ミリ、棒４の外径２ミリとすると棒４と管５の隙間は直径方向に１８−２＝１６ミリ、片側１８／２−２／２＝８ミリとなる。棒４は柔軟かつ弾性を持つので管５の上部の高さ５センチ底辺半径８ミリの範囲で任意に動くことができる。管５の上部先端より棒４の上部先端まで１０センチあり、棒４の先端は更に高さ１５センチの範囲を任意に動けることになり、棒４の先端が背骨の胸椎と共に動くときの幅は棒４の外径点で計算すると８×１５／５＝２４ミリである。実際の円弧では値はこれより大きくなると推定される。厳密には棒４の材質により曲率の係数が異なるため数値は異なる。棒４の先を細くしたような材料だと、先端部で更に曲がりが大きくなり変位幅は更に大きくなると推測できる。
【００３２】  上記のように棒４は管５への挿入部分のうち、図４では管５の上端５センチの部分を長短調節することにより棒４が管５と接触して電気的回路の開閉が閉になるまでの棒４の先端の変位幅を調節できる。
【００３３】  プレーヤーの技術レベルが低い場合は正しい回転中心と、プレーヤーの背骨と動きを共にする器具の回転軸１０との乖離が大きいので棒４の先端の変位幅を大きくなるように、つまり棒４と管５の非接触である絶縁材６の無い部分を前記５センチではなく３センチなどに短くして棒４と管５が接触するまでの曲率を大きく、すなわち曲がり具合をきつく設定し、逆に技術レベルが高い場合は棒４の先端の変位幅は小さくてよいので、棒４と管５の非接触である絶縁材６の無い部分を前記５センチではなく７センチなどに長くして接触するまでの曲率を小さく、すなわち曲がり具合をゆるやかに設定する。このようにしてプレーヤーの技術レベルに合わせて判定のアラームを発生することができる。
【００３４】  管５の上部の絶縁材６のない部分の長さの調整の仕組みは、棒４の外形面と絶縁材６の内径面による摩擦を利用して可能であるが、その他に、管５に螺子穴を開けて螺子で絶縁材６を押さえることにより固定しても良い。
【００３５】  図５の前記アラーム発生手段の電気的接続は直列であるが、部品の接続順序は変えることができる。図４では棒４、電源２、アラーム部品３、管５の順序だが、棒４、アラーム部品３、電源２、管５のようにすることが可能である。また配線上に電源オンオフのための部品を設けても良い。
【００３６】  前記管５の上端内側円周を導電部と絶縁部交互に数分割し、各々の導電部にケーブル配線すれば、前記棒４と接触する導電部の位置に区別をつけることができ、その分割数だけ音量や音質の異なる前記アラーム発生部品３を追加すれば、プレーヤーの正しくない動作について音量、音質の区別をしてプレーヤーにアラームとして知らしめることができる。音の他に発光部品の色の違いを利用して区別し、ケーブル配線を延長してプレーヤーの視界に入るように設置することもできる。また正しくない動作の原因に対応する筋肉部位に振動部品を取り付けることによりプレーヤーに知らしめることも可能である。
【符号の説明】
【００３７】１  上部ベルト
２  電源
３  アラーム部品
４  棒
５  管
６  絶縁材
７  下部ベルト
８  上部固定具
９  下部固定具
１０  回転軸
【図１】
2012105930.tif 000003
【図２】
2012105930.tif 000004
【図３】
2012105930.tif 000005
【図４】
2012105930.tif 000006
【図５】
2012105930.tif 000007
【手続補正書】
【提出日】平成23年4月27日(2011.4.27)
【手続補正１】
【補正対象書類名】特許請求の範囲
【補正対象項目名】請求項１
【補正方法】変更
【補正の内容】
【請求項１】
打球動作が正しいかどうかを判定してプレーヤーに知らせる打球動作判定器具で、
（１）打球の練習の際にプレーヤーの身体または衣服の上から身体装着可能なように胸椎上部に取り付ける上部ベルトと仙骨の位置で腰椎に沿って取り付ける下部ベルトを有し
（２）一方の端を前記上部ベルトの上部固定具に、もう一方の端を前記下部ベルトの下部固定具にそれぞれ取り付けた回転軸を有し
（３）前記回転軸は柔軟かつ弾性のある導電性の棒に非導電性の絶縁材を被せて導電性の管に挿入したもので、前記管の上部だけは前記絶縁材が無く前記棒と前記管は隙間があり、プレーヤーが正立したとき及びプレーヤーの打球動作が正しい場合は前記棒と前記管は中心線が同じで上部隙間部分で電気的回路が開いており、プレーヤーの打球動作が正しくない場合は前記棒は前記管の上部の前記絶縁材の無い隙間部分で曲がって前記管の断面に接触し電気的回路の開閉が閉となるような構成を有し、
（４）前記アラーム発生手段はアラーム部品と電源で構成され、前記上部ベルトまたは前記下部ベルトに取り付けられて、電気回路としては前記アラーム部品と前記電源、前記棒、前記管に直列でケーブル接続し、前記回転軸の電気的回路の開閉が閉のときに前記アラーム部品を駆動しアラームを発する
ことを特徴とする打球動作判定器具。
【手続補正２】
【補正対象書類名】明細書
【補正対象項目名】００１７
【補正方法】変更
【補正の内容】
【００１７】  上部ベルト１の形状は帯のようなもので脇の下の位置で締めるか面ファスナーにて胸の位置で固定しても良い。あるいは両端に輪を作りショルダー式に両肩を通して胸の位置で止めても良い。面ファスナーのほかに金具やプラスティックの止め具で止めても良い。
【手続補正書】
【提出日】平成23年8月12日(2011.8.12)
【手続補正１】
【補正対象書類名】特許請求の範囲
【補正対象項目名】請求項１
【補正方法】変更
【補正の内容】
【請求項１】
打球動作が正しいかどうかを判定してプレーヤーに報知する打球動作判定器具において、前記打球動作判定器具は、柔軟かつ弾性のある導電性材料からなる棒、前記棒が挿入される導電性材料からなる管、及び前記棒の一部を被覆して導電性の菅に挿入することにより、前記棒の挿入長さを調節可能に固定する非導電性材料からなる絶縁部材から構成される判定手段と、前記判定手段の判定結果を報知するアラーム部品と電源とから構成されるアラーム発生手段と、前記判定手段をプレーヤーの身体または衣服の上から装着するための、上部ベルト及び下部ベルトから構成され、前記判定手段は、プレーヤーの腰椎に沿うように、上部ベルト及び下部ベルトに設けられた固定具により取り付けられ、前記アラーム発生手段は、前記上部ベルト又は前記下部ベルトに取り付けられ、前記判定手段と前記アラーム発生手段とは電気的に直列に接続され、前記棒と前記管とは、絶縁部材が存在しない部分を設けることにより隙間を形成し、プレーヤーが正立したとき及びプレーヤーの打球動作が正しい場合は、前記棒と前記管が前記隙間により非接触であり、プレーヤーの打球動作が正しくない場合は前記棒が撓み、前記管の内壁に接触することにより、前記アラーム部材が駆動してアラームを発することによりプレーヤーに報知することを特徴とする打球動作判定器具。
【手続補正２】
【補正対象書類名】明細書
【補正対象項目名】００１０
【補正方法】変更
【補正の内容】
【００１０】本願発明は打球動作が正しいかどうかを判定してプレーヤーに報知する打球動作判定器具において、前記打球動作判定器具は、柔軟かつ弾性のある導電性材料からなる棒、前記棒が挿入される導電性材料からなる管、及び前記棒の一部を被覆して導電性の菅に挿入することにより、前記棒の挿入長さを調節可能に固定する非導電性材料からなる絶縁部材から構成される判定手段と、前記判定手段の判定結果を報知するアラーム部品と電源とから構成されるアラーム発生手段と、前記判定手段をプレーヤーの身体または衣服の上から装着するための、上部ベルト及び下部ベルトから構成され、前記判定手段は、プレーヤーの腰椎に沿うように、上部ベルト及び下部ベルトに設けられた固定具により取り付けられ、前記アラーム発生手段は、前記上部ベルト又は前記下部ベルトに取り付けられ、前記判定手段と前記アラーム発生手段とは電気的に直列に接続され、前記棒と前記管とは、絶縁部材が存在しない部分を設けることにより隙間を形成し、プレーヤーが正立したとき及びプレーヤーの打球動作が正しい場合は、前記棒と前記管が前記隙間により非接触であり、プレーヤーの打球動作が正しくない場合は前記棒が撓み、前記管の内壁に接触することにより、前記アラーム部材が駆動してアラームを発することによりプレーヤーに報知することを特徴とする打球動作判定器具である。